(57)【要約】      （修正有）【課題】双方向性授業、双方向性会議等の双方向性筆記システムに利用可能であるコレステリック液晶ライティング・ボードを提供する。【解決手段】コレステリック液晶層１１３を有し、光入射面Ｄ１と、光入射面Ｄ１に対応する光出射面Ｄ２とを有するコレステリック液晶装置１１と、アレイ配置される複数の光検出素子１２１１を備え、コレステリック液晶装置１１の光出射面Ｄ１の側に設けられており、少なくとも一部のコレステリック液晶層１１３に押圧を加えて状態が変化することで光通過量に変化が生じることによって、中の光検出素子１２１１が光通過量の変化を検出するとともにこれに基づいて検知信号を発生する光検出アレイ層１２と、光検出アレイ層１２に電気的に接続され、検出信号を受信するとともにこれに基づいて光検出アレイ層１２における光検出素子１２１１の位置データを出力する検出信号処理回路と、を備えることを特徴とする。【選択図】図２Ｂ
2019159303.tif 000002
【特許請求の範囲】
【請求項１】
コレステリック液晶層を有し、光入射面と、前記光入射面に対応する光出射面とを有するコレステリック液晶装置と、
アレイ配置される複数の光検出素子を備え、前記コレステリック液晶装置の前記光出射面の側に設けられており、少なくとも一部の前記コレステリック液晶層に押圧を加えて状態が変化することで光通過量に変化が生じることによって、中の前記光検出素子が前記光通過量の変化を検出するとともにこれに基づいて検知信号を発生する光検出アレイ層と、
前記光検出アレイ層に電気的に接続され、前記検出信号を受信するとともにこれに基づいて前記光検出アレイ層における前記光検出素子の位置データを出力する検出信号処理回路と、を備えることを特徴とするコレステリック液晶ライティング・ボード。
【請求項２】
前記コレステリック液晶装置は、対向して設けられる第１の基板と第２の基板とを更に備え、前記コレステリック液晶層は前記第１の基板と前記第２の基板との間に設けられており、前記コレステリック液晶装置は更に、前記コレステリック液晶層に対向するように前記第１の基板の表面に設けられる第１の透明導電層を備え、且つ前記コレステリック液晶装置は更に、前記コレステリック液晶層に対向するように前記第２の基板の側に設けられる第２の透明導電層を備える、請求項１に記載のコレステリック液晶ライティング・ボード。
【請求項３】
前記第２の透明導電層は、前記コレステリック液晶層に対向するように前記第２の基板の側に全面的に設けられる、請求項２に記載のコレステリック液晶ライティング・ボード。
【請求項４】
前記第２の透明導電層は、アレイ配置されるこれら前記光検出素子に対応してそれぞれ設けられる複数の電極ブロックを備える、請求項２に記載のコレステリック液晶ライティング・ボード。
【請求項５】
前記コレステリック液晶装置は更に絶縁層を備え、且つ前記光検出アレイ層、前記絶縁層、前記第２の透明導電層の順に、前記第２の基板の表面から前記コレステリック液晶層に向けて順次積層される、請求項２に記載のコレステリック液晶ライティング・ボード。
【請求項６】
前記光検出アレイ層は、前記コレステリック液晶層に向けて前記第２の基板の表面に設けられる、請求項２に記載のコレステリック液晶ライティング・ボード。
【請求項７】
前記光検出アレイ層は前記コレステリック液晶層に向けて前記第２の基板の側に設けられており、前記光検出アレイ層は第３の基板を備え、且つアレイ配置されるこれら前記光検出素子は前記第２の基板に対向するように前記第３の基板の表面に設けられる、請求項２に記載のコレステリック液晶ライティング・ボード。
【請求項８】
前記光出射面が前記第２の基板と対向するように前記第２の基板の側に設けられるとともに、光吸収板であるベース板を更に備える、請求項２に記載のコレステリック液晶ライティング・ボード。
【請求項９】
前記光出射面が前記第２の基板と対向するように前記第２の基板の側に設けられるとともに、光反射板であるベース板を更に備える、請求項２に記載のコレステリック液晶ライティング・ボード。
【請求項１０】
前記第１基板が透光性基板であり、前記第２の基板が光吸収板である、請求項２に記載のコレステリック液晶ライティング・ボード。
【請求項１１】
前記第１基板が透光性基板であり、前記第２の基板が光反射板である、請求項２に記載のコレステリック液晶ライティング・ボード。
【請求項１２】
前記第１基板及び前記第２の基板がそれぞれ透光性基板であり、且つ前記第３の基板が光吸収板である、請求項７に記載のコレステリック液晶ライティング・ボード。
【請求項１３】
前記第１基板及び前記第２の基板がそれぞれ透光性基板であり、且つ前記第３の基板が光反射板である、請求項７に記載のコレステリック液晶ライティング・ボード。
【請求項１４】
前記光検出アレイ層は更に、
交差設置により複数の光検出点を画成する複数本のアップロード線及び複数本の読取り線を備えており、各々の前記光検出点はそれぞれスイッチング素子とこれら前記光検出素子のうちの一つを備え、前記スイッチング素子の一つの制御端はこれら前記アップロード線のうちの一つに接続されており、前記スイッチング素子の第１端はこれら前記読取り線のうちの一つに接続されており、前記スイッチング素子の第２端は前記光検出素子の一端に接続されており、前記光検出素子の他端は基準電圧に接続される、請求項１に記載のコレステリック液晶ライティング・ボード。
【請求項１５】
前記検出信号は、これら前記アップロード線が導通するときに他方の電子装置に伝送される、請求項１４に記載のコレステリック液晶ライティング・ボード。
【請求項１６】
前記検出信号は、これら前記アップロード線が導通した後のブレークタイムに他方の電子装置に伝送される、請求項１４に記載のコレステリック液晶ライティング・ボード。
【請求項１７】
制御ユニットと、
前記制御ユニットに電気的に接続され、且つ前記コレステリック液晶ライティング・ボードがこれを介して電子装置に通信的に接続する通信ユニットと、
前記制御ユニットに電気的に接続され、前記検出信号を記憶する記憶ユニットと、を更に備える、請求項１に記載のコレステリック液晶ライティング・ボード。
【請求項１８】
前記コレステリック液晶装置に前記押圧を加えるとき、前記コレステリック液晶層の前記少なくとも一部がフォーカルコニック状態からプレーナ状態に状態変化する、請求項１に記載のコレステリック液晶ライティング・ボード。
【請求項１９】
前記コレステリック液晶装置に前記押圧を加えることで、前記コレステリック液晶装置が対応する一つの色を表す書込み跡が発生する、請求項１８に記載のコレステリック液晶ライティング・ボード。
【請求項２０】
前記位置データが前記コレステリック液晶装置に前記押圧を加えるときに対応する位置情報を含む、請求項１に記載のコレステリック液晶ライティング・ボード。
【発明の詳細な説明】
【技術分野】
【０００１】
本発明はコレステリック液晶ライティング・ボードに関し、特に書込み位置を検出するとともに書込み位置データを出力するコレステリック液晶ライティング・ボードに関する。
【背景技術】
【０００２】
コレステリック液晶（Ｃｈｏｌｅｓｔｅｒｉｃ ｌｉｑｕｉｄ ｃｒｙｓｔａｌ）は、ネマティック液晶中にカイラル材（Ｃｈｉｒａｌ ｄｏｐａｎｔ）が加えられた液晶混合物であり、らせん状のコレスティック相を有する液晶である。そして、異なる電圧差の状況にて反射又は透過となる二種類の異なる液晶分子の配向状態を利用して、異なる光透過率をもたらし、表示効果を達成するというものである。その原理とは、コレステリック液晶に電圧が外部から印加される場合に、その電圧を低電圧及び高電圧にそれぞれ調節すると、プレーナ状態（Ｐｌａｎａｒ ｓｔａｔｅ）がそれぞれフォーカルコニック状態（Ｆｏｃａｌ ｃｏｎｉｃ ｓｔａｔｅ）とホメオトロピック状態（Ｈｏｍｅｏｔｒｏｐｉｃ ｓｔａｔｅ）として変換することができる。そして、プレーナ状態にあるとき、入射光が反射して色が現れるものであって、一方、フォーカルコニック状態にあるとき、入射光の大部分が透過し、入射光の一部が拡散し、ホメオトロピック状態にあるとき、入射光は完全に透過するというものである。
【０００３】
プレーナ状態及びフォーカルコニック状態は、いずれも安定状態であって、電圧が消失したときでも、なおも元の状態及び表示画面を維持することができ、別の状態及び表示画面を変更するときのみに、電圧を印加する必要があるものである。このような低消費電力及び表示保持の特性を有することから、コレステリック液晶は、電子ブックの最適な選択肢となっている。同時に、このような表示メカニズムは、上下プレートのピッチの影響は小さく、双安定可撓性ディスプレイとして発展していく潜在力及び応用性を持っている。その他のタイプ、例えばＴＮ型液晶ディスプレイに比べて、コレステリック液晶ディスプレイは、省電力、カラー表示、調光可能性及び双安定可撓性ディスプレイ等の長所を備えて、応用は相当に広い。
【発明の概要】
【発明が解決しようとする課題】
【０００４】
本発明は、双方向性授業、双方向性会議等の双方向性筆記システムに利用可能であるコレステリック液晶ライティング・ボードを提供するものである。本発明のコレステリック液晶ライティング・ボードは、コレステリック液晶の特性を用いており、省電力効果を達成することができる以外に、書込み位置データを得ることで、コレステリック液晶ライティング・ボードの応用を拡大し、低コスト及びリアルタイムインタラクティブの効果を達成することができる。
【課題を解決するための手段】
【０００５】
上記目的を達成するために、本発明のコレステリック液晶ライティング・ボードは、コレステリック液晶装置と、光検出アレイ層と、検出信号処理回路とを備える。コレステリック液晶装置は、コレステリック液晶層を有し、光入射面と、光入射面に対応する光出射面とを有する。光検出アレイ層は、アレイ配置される複数の光検出素子を備え、コレステリック液晶装置の光出射面の側に設けられており、少なくとも一部のコレステリック液晶層に押圧を加えて状態が変化することで光通過量に変化が生じることによって、光検出アレイ層中の光検出素子が前記光通過量の変化を検出するとともにこれに基づいて検知信号を発生する。検出信号処理回路が光検出アレイ層に電気的に接続され、この検出信号を受信するとともにこれに基づいて光検出アレイ層における前記光検出素子の位置データを出力することができる。
【０００６】
一つの実施例において、コレステリック液晶装置は、対向して設けられる第１の基板と第２の基板とを更に備える。コレステリック液晶装置は第１の基板と第２の基板との間に設けられる。コレステリック液晶装置は、コレステリック液晶層に対向するように第１の基板の表面に設けられる第１の透明導電層を更に備える。しかも、コレステリック液晶装置は、コレステリック液晶層に対向するように第２の基板の側に設けられる第２の透明導電層を更に備える。
【０００７】
一つの実施例において、第２の透明導電層は、コレステリック液晶層に対向するように第２の基板の側に全面的に設けられる。
【０００８】
一つの実施例において、第２の透明導電層は、アレイ配置されるこれら光検出素子に対応してそれぞれ設けられる複数の電極ブロックを備える。
【０００９】
一つの実施例において、コレステリック液晶装置は絶縁層を更に備えており、且つ光検出アレイ層、絶縁層、第２の透明導電層の順に、第２の基板の表面からコレステリック液晶層に向けて順次積層される。
【００１０】
一つの実施例において、光検出アレイ層は、コレステリック液晶層に向けて第２の基板の表面に設けられる。
【００１１】
一つの実施例において、光検出アレイ層は、コレステリック液晶層に向けて第２の基板の側に設けられる。光検出アレイ層は第３の基板を備えており、且つアレイ配置される光検出素子が第２の基板に対向するように第３の基板の表面に設けられる。
【００１２】
一つの実施例において、コレステリック液晶ライティング・ボードは、光出射面が前記第２の基板と対向するように第２の基板の側に設けられるとともに、光吸収板であるベース板を更に備える。
【００１３】
一つの実施例において、コレステリック液晶ライティング・ボードは、光出射面が前記第２の基板と対向するように第２の基板の側に設けられるとともに、光反射板であるベース板を更に備える。
【００１４】
一つの実施例において、第１の基板は透光性基板であり、第２の基板は光吸収板である。
【００１５】
一つの実施例において、第１の基板は透光性基板であり、第２の基板は光反射板である。
【００１６】
一つの実施例において、第１基板及び第２の基板がそれぞれ透光性基板であり、且つ第３の基板が光吸収板である。
【００１７】
一つの実施例において、第１基板及び第２の基板がそれぞれ透光性基板であり、且つ第３の基板が光反射板である。
【００１８】
一つの実施例において、光検出アレイ層は更に複数本のアップロード線及び複数本の読取り線を備える。アップロード線と読取り線とが交差配置されることで複数の光検出点を画成する。各々の光検出点は、スイッチング素子と、これら光検出素子のうちの一つをそれぞれ備える。スイッチング素子の一つの制御端はこれらアップロード線のうちの一つに接続されており、スイッチング素子の第１端はこれら読取り線のうちの一つに接続されており、スイッチング素子の第２端は光検出素子の一端に接続されており、且つ光検出素子の他端は基準電圧に接続される。
【００１９】
一つの実施例において、検出信号は、これらアップロード線が導通するときに他方の電子装置に伝送される。
【００２０】
一つの実施例において、検出信号は、これらアップロード線が導通した後のブレークタイムに他方の電子装置に伝送される。
【００２１】
一つの実施例において、コレステリック液晶ライティング・ボードは更に制御ユニットと、通信ユニットと、記憶ユニットとを備える。通信ユニットは制御ユニットに電気的に接続され、且つコレステリック液晶ライティング・ボードが通信ユニットを介して電子装置に通信的に接続する。記憶ユニットは制御ユニットに電気的に接続され、検出信号を記憶する。
【００２２】
一つの実施例において、コレステリック液晶装置に押圧を加えるとき、コレステリック液晶層の少なくとも一部がフォーカルコニック状態（Ｆｏｃａｌ ｃｏｎｉｃ ｓｔａｔｅ）からプレーナ状態（Ｐｌａｎａｒ ｓｔａｔｅ）に状態変化する。
【００２３】
一つの実施例において、コレステリック液晶装置に押圧を加えることで、コレステリック液晶装置が対応する一つの色を表す書込み跡が発生する。
【００２４】
一つの実施例において、前記位置データはコレステリック液晶装置に前記押圧を加えるときに対応する位置情報を含む。
【発明の効果】
【００２５】
上記によって、本発明のコレステリック液晶ライティング・ボードにおいて、コレステリック液晶装置は、コレステリック液晶層を有する。そして、アレイ配置される複数の光検出素子を備える光検出アレイ層がコレステリック液晶装置の光出射面の側に設けられている。コレステリック液晶層の少なくとも一部に押圧を加えて状態が変化することで光通過量に変化が生じることによって、光検出アレイ層中の光検出素子が、この光通過量の変化を検出するとともにこれに基づいて検知信号を発生する。検出信号処理回路が光検出アレイ層に電気的に接続され、この検出信号を受信するとともに、これに基づいて、光検出アレイ層における前記光検出素子の位置データを出力することができる。よって、本発明のコレステリック液晶ライティング・ボードは、コレステリック液晶の特性を用いており、省電力効果を達成することができる以外に、書込み位置データを得ることで、コレステリック液晶ライティング・ボードの応用を拡大し、例えば、双方向性授業、双方向性会議等の双方向性筆記システムに利用可能として、低コスト及びリアルタイムインタラクティブの効果を達成することができる。
【図面の簡単な説明】
【００２６】
【図１】本発明のコレステリック液晶ライティング・ボードの実施例の応用概略図である。
【図２Ａ】本発明のコレステリック液晶ライティング・ボードの実施例の一部立体分解概略図である。
【図２Ｂ】図２Ａが示すコレステリック液晶ライティング・ボードに押圧を加えるときの構造概略図である。
【図２Ｃ】図２Ｂが示すコレステリック液晶ライティング・ボードの光検出アレイ層の光検出点の回路概略図である。
【図２Ｄ】入射光が図２Ｂに示すコレステリック液晶ライティング・ボードに入射したときの概略図である。
【図２Ｅ】本発明のコレステリック液晶ライティング・ボードの他の実施例の構造概略図である。
【図３】本発明のコレステリック液晶ライティング・ボードの他の実施例の構造概略図である。
【図４】本発明のコレステリック液晶ライティング・ボードの他の実施例の構造概略図である。
【図５】本発明のコレステリック液晶ライティング・ボードの更に他の実施例の構造概略図である。
【図６】本発明のコレステリック液晶ライティング・ボードのまた更に他の実施例の構造概略図である。
【図７】本発明のコレステリック液晶ライティング・ボードと電子装置との一つの実施例の機能ブロック概略図である。
【発明を実施するための形態】
【００２７】
以下にて関連する図面を参照して、本発明が提供する各種実施例のコレステリック液晶ライティング・ボードを説明する。このうち同じ構成要素には同じ符号を付して説明する。
【実施例】
【００２８】
説明すべきは、本発明の各実施例における全ての方向的な指示（例えば、上、下、左、右、前、後・・・）はある特定の姿勢（別紙の図面に示す）での各部材の間の相対的な位置関係、運動状況等を解釈するのに用いるのみであって、もし前記の特定の姿勢が変化したときには、前記方向的な指示もまた対応して変化するものである。
【００２９】
本発明における各実施例で提供するコレステリック液晶ライティング・ボードは、その書込み面上に文字又は画像を書き込むことができるものであって、例えば携帯電話機、タブレット端末、電子白板又はその他の画像を表示可能な表示装置に応用することができるが、これらに限定されない。一部実施例において、本発明における各実施例で提供するコレステリック液晶ライティング・ボードの書込み画面を、ネットワークを通じてその他の電子装置上に表示することができる。また、その他の電子装置の画面を、ネットワークを通じて本発明のコレステリック液晶ライティング・ボード上に同期して表示することができる。
【００３０】
以下の実施例のコレステリック液晶ライティング・ボードは、会議又は授業等の双方向性筆記システムの大サイズ電子黒板（又は白板）に応用するものを例としているが、本発明はこれらに限定されない。本発明における各実施例で提供するコレステリック液晶ライティング・ボードは、コレステリック液晶の特性を利用しているため、双安定（Ｂｉｓｔａｂｌｅ）表示設備であって、コレステリック液晶ライティング・ボードに画像又は画面が表示されているときに、別途電源を入力する必要はなく、この画像又は画面は常に保留されるものである。そして、別の状態又は表示画面に変更するときにのみ、別途電源を入力する必要があるため、コレステリック液晶ライティング・ボードはかなり省電力となる電子装置である。
【００３１】
図１は、本発明のコレステリック液晶ライティング・ボードの実施例の応用概略図である。図２Ａは、本発明のコレステリック液晶ライティング・ボードの実施例の一部立体分解概略図である。図２Ｂは、図２Ａが示すコレステリック液晶ライティング・ボードに押圧を加えるときの構造概略図である。図２Ｃは、図２Ｂが示すコレステリック液晶ライティング・ボードの光検出アレイ層の光検出点の回路概略図である。図２Ｄは、入射光が図２Ｂに示すコレステリック液晶ライティング・ボードに入射したときの概略図である。
【００３２】
図１、図２Ａないし図２Ｄに示すように、コレステリック液晶ライティング・ボード１は、コレステリック液晶装置１１と、光検出アレイ層１２と、検出信号処理回路Ｃとを備えることができる。光検出アレイ層１２は、アレイ配置される複数の光検出点１２１又は光検出素子１２１１を備える。コレステリック液晶装置１１は、コレステリック液晶層１１３を有する。コレステリック液晶装置１１は、光入射面Ｄ１と、光入射面Ｄ１に対応する光出射面Ｄ２とを有する。つまり、本実施例の光入射面Ｄ１は、コレステリック液晶ライティング・ボード１の使用者に向いた表面であり、書込み面又は表示面とも呼ばれる。一部の実施例においては、光入射面Ｄ１上に保護膜層又は保護基材を更に設けることで、コレステリック液晶ライティング・ボード１を保護することができる。光検出アレイ層１２は、コレステリック液晶装置１１の光出射面Ｄ２の側に設けられている。コレステリック液晶層１１３の少なくとも一部に押圧を加えて状態が変化することで、光通過量に変化が生じる。それによって、光検出アレイ層１２中の一つ又は複数の光検出素子１２１１が、光通過量の変化を検出するとともに、これに基づいて検知信号を発生させる。検出信号処理回路Ｃが光検出アレイ層１２に電気的に接続され、前記した状況が発生したときは、この検出信号を受信するとともに光検出アレイ層１２における前記した一つ又は複数の光検出素子１２１１の位置データＤｐを出力することができる。この位置データＤｐは、コレステリック液晶装置１１に前記押圧を加えるときに対応する位置情報を含む。よって、この検出信号から、コレステリック液晶装置１１上の光通過量が変化した発生位置を知ることができる。つまり、コレステリック液晶ライティング・ボード１はコレステリック液晶装置１１のどこに押圧を加えたかを感知するというものである。
【００３３】
以下、まずコレステリック液晶装置１１の構造を説明する。
【００３４】
コレステリック液晶装置１１は、第１の基板１１１と、第２の基板１１２と、コレステリック液晶層１１３とを備えることができる。第１の基板１１１は、第２基板１１２と対向して設けられている。コレステリック液晶層１１３は、複数のコレステリック液晶分子（図示せず）を有しており、第１の基板１１１と第２の基板１１２との間に充填されることができる。コレステリック液晶装置１１は、コレステリック液晶層１１３に対向するように第１の基板１１１の表面上に設けられる第１の透明導電層１１４を、更に備える。コレステリック液晶装置１１は、コレステリック液晶層１１３に対向するように第２の基板１１２の側に設けられる第２の透明導電層１１５を、更に備える。図２Ｂに示すように、本実施例の第１の透明導電層１１４は、コレステリック液晶層１１３に対向するように第１の基板１１１の表面上に全面的に設けられており、一方、第２の透明導電層１１５は、コレステリック液晶層１１３に対向するように第２の基板１１２の側に全面的に設けられている。ここで、「全面的」というのは、第１の透明導電層１１４が全体面の電極（共通電極）を備え、この電極は、コレステリック液晶層１１３に対向するように第１の基板１１１の大部分の表面上に全面的に敷設されており、そして、第２の透明導電層１１５も全体面の電極を備え、この電極は、コレステリック液晶層１１３に対向するように第２の基板１１２の側に全面的に敷設されているということである。なお、異なる実施例において、図２Ｅに示すように、第２の透明導電層１１５は、複数の電極ブロック１１５１を備えることができ、これら電極ブロック１１５１は、アレイ設置されている複数の光検出点１２１又は複数の光検出素子１２１１に、それぞれ対応するように設けられているが、本発明はこれに限定されない。
【００３５】
第１の透明導電層１１４と第２の透明導電層１１５との間の電圧差を制御することで、コレステリック液晶分子の配列状態を制御することができる。また、コレステリック液晶装置１１は、封止層（図示せず）を更に備えることができる。封止層は、第１の基板１１１と第２の基板１１２との間に設けられるとともに、第１の基板１１１及び第２の基板１１２の外周を封止して、第１の基板１１１と第２の基板１１２との間にギャップｄを持たせている。第１の基板１１１及び第２の基板１１２と封止層とで収容空間を形成することで、コレステリック液晶分子を収容空間中に充填して、コレステリック液晶層１１３を形成することができる。言及すべきは、本実施例におけるコレステリック液晶装置１１の光入射面Ｄ１とは、コレステリック液晶層１１３に向けて第１の基板１１１の上面のことであり、一方、光出射面Ｄ２とは、コレステリック液晶層１１３に向けて第２の基板１１２の下面のことであり、又は、光入射面Ｄ１は、コレステリック液晶層１１３に対向するように第１の基板１１１の上面とすることができ、そして光出射面Ｄ２は、コレステリック液晶層１１３に対向するように第２の基板１１２の下面とすることができ、又は、そのいずれかの組み合わせとすることができるが、本発明はこれらに限定されない、ということである。
【００３６】
本実施例において、第１の基板１１１及び第２の基板１１２は、各々独立して透光性基材を有し、軟質透光性基材又は硬質透光性基材とすることができる。軟質透光性基材の材料は、例えばポリイミド（Ｐｏｌｙｉｍｉｄｅ, ＰＩ）、ポリカーボネート（Ｐｏｌｙｃａｒｂｏｎａｔｅ, ＰＣ）又はポリエチレンテレフタレート（Ｐｏｌｙｅｔｈｙｌｅｎｅ Ｔｅｒｅｐｈｔｈａｌａｔｅ, ＰＥＴ）であるが、これらに限定されない。硬質透光性基材の材料は、ガラス、石英又はサファイヤであるが、これらに限定されない。もし第１の基板１１１及び第２の基板１１２のいずれもが軟質透光性基材を採用するときには、軟質透光性基材は可撓性を有することから、コレステリック液晶ライティング・ボード１を曲面ディスプレイとして製作することができる。また、第１の透明導電層１１４及び第２の透明導電層１１５は、例えば、酸化インジウムスズ（Ｉｎｄｉｕｍ Ｔｉｎ Ｏｘｉｄｅ，ＩＴＯ）又は酸化インジウム亜鉛（Ｉｎｄｉｕｍ Ｚｉｎｃ Ｏｘｉｄｅ，ＩＺＯ）であるが、これらに限定されない。
【００３７】
コレステリック液晶装置１１は、対応して一つの色を表示することができる。具体的に言えば、コレステリック液晶装置１１は、異なる含量のカイラル材を添加することで、赤（Ｒ）、緑（Ｇ）又は青（Ｂ）等の色を調合することができる。ここで、コレステリック液晶装置１１が対応して表示する色は、例えば赤、緑、青のうちの一つ、又はその他の可視光の色から選ぶことができるが、これらに限定されない。コレステリック液晶は、ネマティック液晶中にカイラル材を加えて特殊な配列構造を達成するとともに、コレステリック液晶分子が異なる電圧差、物理的圧力及び／又は温度の状況にて少なくともフォーカルコニック状態（Ｆｏｃａｌ ｃｏｎｉｃ ｓｔａｔｅ）、プレーナ状態（Ｐｌａｎａｒ ｓｔａｔｅ）及びホメオトロピック状態（Ｈｏｍｅｏｔｒｏｐｉｃ ｓｔａｔｅ）等の複数の異なる安定状態又は一時状態を表現することができることを利用して、表示効果を達成する。よって、コレステリック液晶のらせん構造の軸方向に変化が生じて、これにより光の一部が反射する及び／又はコレステリック液晶層１１３を光の一部が透過することができる。つまり、コレステリック液晶分子が異なる安定状態又は一時状態にて有する異なる光反射率又は透過率により、コレステリック液晶装置１１の表示機能を達成させることができる。
【００３８】
以下、本実施のコレステリック液晶ライティング・ボード１の光検出アレイ層１２の構造を説明する。
【００３９】
まず、図２Ａに示すコレステリック液晶ライティング・ボード１の光検出アレイ層１２の光検出点１２１の回路概略図である図２Ｃを参照されたい。本実施例において、光検出アレイ層１２は、複数本のアップロード線ＵＰｎと複数本の読取り線Ｒｍ、Ｒｍ+１を更に備えており、アップロード線ＵＰｎと読取り線Ｒｍ、Ｒｍ+１との交差配置により、複数の光検出点１２１を画成する。そして、検出信号処理回路Ｃは光検出アレイ層１２に電気的に接続される（図２Ｂを参照する）。ここで、図２Ｃは隣接する二つの光検出点１２１を示す回路概略図である。
【００４０】
図２Ｃにおいて、各々の光検出点１２１は、それぞれ一つの光検出素子１２１１と、一つのスイッチング素子１２１２とを備えることができる。スイッチング素子１２１２の制御端は、アップロード線ＵＰｎのうちの一つに接続される。スイッチング素子１２１２の第１端は、読取り線Ｒｍ、Ｒｍ+１のうちの一つに接続される。スイッチング素子１２１２の第２端は、光検出素子１２１１の一端に接続され、そして光検出素子１２１１の他端は、基準電圧Ｖｒｅｆに接続される。基準電圧Ｖｒｅｆは、必要性に応じて、例えば共通電圧（Ｖｃｏｍ）、ゲート電圧（ＶＧａｔｅ）又は接地電圧（Ｖｇｎｄ）等とすることができるが、これらに限定されない。スイッチング素子１２１２及び光検出素子１２１１は、読取り線Ｒｍ、Ｒｍ+１を介して検出信号処理回路Ｃに接続される。ここで、スイッチング素子１２１２は、例えば薄膜トランジスタとすることができ、そして検出素子１２１１は、スイッチング素子１２１２と同じ製造工程及び材料で製作することで、コストを削減することができる。そして検出信号処理回路Ｃは、例えば集積回路又はマイクロチップ等の方式で実現することができるが、これらに限定されない。その他の実施例において、光検出素子１２１１は、例えばフォトダイオード（Ｐｈｏｔｏｄｉｏｄｅ）マイクチップとしてのフォトセンサであってもよい。光検出素子１２１１は、受光の有無、又は、受光の程度の相違により生じる光通過量の変化により、異なる光電流を得ることで検知を行う。
【００４１】
具体的には、図２Ｃ左側のスイッチング素子１２１２を例とすると、スイッチング素子１２１２（薄膜トランジスタ）のゲートは、アップロード線ＵＰｎに接続され、その第１端（ソース）が読取り線Ｒｍに接続され、第２端（ドレイン）が光検出素子１２１１の一端に接続され、且つ、光検出素子１２１１の他端は、共通電極（Ｖｃｏｍ）に接続されることができ、例えば接地することができる。よって、アップロード線ＵＰｎの信号がスイッチング素子１２１２をオンにすると、検出信号処理回路Ｃが接続され、読取り線Ｒｍによりスイッチング素子１２１２を介して光検出素子１２１１の光通過量により生じた検出信号を受信するとともに、前記した受信した検出信号に基づいて位置データＤｐを出力することができ、この位置データＤｐはつまり光検出アレイ層１２における光検出素子１２１１の位置（又は座標）情報を含む。
【００４２】
以下、コレステリック液晶装置１１にて状態が変化することで光通過量が変化したとき、コレステリック液晶ライティング・ボード１がこの状態の変化（又は光通過量の変化）の発生位置をどのように知るかを引き続き説明する。
【００４３】
再度、図１、図２Ａないし図２Ｄを参照する。本実施例のコレステリック液晶ライティング・ボード１において、コレステリック液晶装置１１に押圧を加えず、且つ、給電されていないとき、コレステリック液晶層１１３のコレステリック液晶分子は、フォーカルコニック状態配列である。このとき、使用者はコレステリック液晶ライティング・ボード１のベース色、例えば黒色を見ることができる。
【００４４】
使用者がスタイラスペンＰ（又は指、又はその他硬い物）を用いて、コレステリック液晶ライティング・ボード１上に書込んで、コレステリック液晶装置１１に押圧を加えるとき、第１の基板１１１と第２の基板１１２との間のギャップｄが小さくなり、対応する部分のコレステリック液晶層１１３のコレステリック液晶分子が、元のフォーカルコニック状態からプレーナ状態配列となる。このとき、押圧箇所（図２Ｄに示す第１の基板１１１の中央凹み箇所）にて、一部の入射した光Ｌ２にブラッグ反射が発生して、反射した光Ｌｒ（特定波長を有する）が光入射面Ｄ１から出射する。同時に、コレステリック液晶装置１１は、押圧箇所にて反射した光Ｌｒの色（例えば緑）を表示することになる。よって、もし使用者が、スタイラスペンＰ（又は指、又はその他の硬い物）を用いて、コレステリック液晶ライティング・ボード１上に文字又は図形を書き込むことで、コレステリック液晶装置１１上に書込み跡Ｓが発生したときは、書込み跡Ｓは反射した光Ｌｒが対応する色で表される。
【００４５】
上記の通り、図２Ｃ及び図２Ｄに示すように、コレステリック液晶装置１１の光入射面Ｄ１上に押圧された部分がない、又はその中央凹み箇所が押圧されていないとき、この部分のコレステリック液晶層１１３中のコレステリック液晶分子は、フォーカルコニック状態となる。よって、この箇所に入射した光、例えば光Ｌ１の大部分が、コレステリック液晶層１１３を透過して光検出点１２１に向けて出射されるので、光検出点１２１中の光検出素子１２１１は、光Ｌ１を検出して第１の光通過量を得る。使用者がコレステリック液晶ライティング・ボード１を押圧したときは、押圧位置（図２Ｄ中の光入射面Ｄ１上の中央凹み箇所）下方の対応するコレステリック液晶層１１３の一部のコレステリック液晶分子が、フォーカルコニック状態からプレーナ状態となる。このとき、上記したように、この押圧位置で入射した光Ｌ２のうちの一部、つまり光Ｌｒは、プレーナ状態とされたコレステリック液晶分子により反射して、光入射面Ｄ１から出射して、残りの一部の光Ｌ２’はコレステリック液晶層１１３を透過して、対応する光検出点１２１中の光検出素子１２１１に出射する。このとき、この対応する光検出素子１２１１は、この光Ｌ２'を検出して、第２の光透過量を得ることができる。そして、第１の光通過量と第２の光通過量との差は、この光検出点１２１中の光検出素子１２１１が検出した光通過量変化である。これにより、読取り線Ｒｍ、Ｒｍ+１に接続される検出信号処理回路Ｃは、読取り線Ｒｍ、Ｒｍ+１を介して、各々の光検出素子１２１１により異なる強度で検出された光通過量により、対応する異なる電圧値が発生した電気信号（つまり、「検出信号」）を受信（又は「読取る」）することができる。検出信号処理回路Ｃがこの検出信号を受信したときには、一つ又は複数の、どの光検出素子１２１１が送出した検出信号であるかを知ることができる。検出信号処理回路Ｃは、この検出信号に基づいて、この光通過量変化を検出した光検出素子１２１１（一つ又は複数個）の、光検出アレイ層１２中での所在位置（例えば、光検出アレイ層１２中の第何行第何列に位置する光検出素子１２１１）を表す又は対応する位置データＤｐを、他方の制御ユニット又は処理ユニット（図示せず）に出力する。そして、前記した位置データＤｐは、この光通過量変化を検出した光検出素子１２１１（一つ又は複数個）の、光検出アレイ層１２中の所在位置に対応し又は表している。よって、コレステリック液晶ライティング・ボード１は、コレステリック液晶ライティング・ボード１上での、押圧（書込み）された位置を感知することができる。
【００４６】
また、読取り線Ｒｍ、Ｒｍ+１により読み出した検出信号は、これらアップロード線ＵＰｎが導通時に、他方の電子装置に伝送されることができる。又は、読取り線Ｒｍ、Ｒｍ+１により読み出した検出信号は、これらアップロード線ＵＰｎが導通した後でも、ブレークタイム（Ｂｌａｎｋｉｎｇ ｔｉｍｅ）に他方の電子装置に伝送されることができる。具体的に言えば、これらアップロード線ＵＰｎが順次導通したと同時に、読取った検出信号をリアルタイムに他方の電子装置に伝送することができる。又は、すべてのアップロード線ＵＰｎが順次導通の完了後に、次に導通するためのブレークタイムに再度、全ての検出信号を伝送（リアルタイムではない）してもよいが、本発明はこれに限定されない。
【００４７】
再度、図２Ｂを参照されたい。本実施例のコレステリック液晶装置１１は、絶縁層１１７を更に備えており、且つ、光検出アレイ層１２、絶縁層１１７、第２の透明導電層１１５の順に、第２の基板１１２の表面からコレステリック液晶層１１３に向けて、順次積層されている。
【００４８】
また、図２Ａ、図２Ｂ及び図２Ｄに示すように、本実施例のコレステリック液晶ライティング・ボード１は、ベース板１３を更に備えることができる。ベース板１３は、光出射面Ｄ２が第２の基板１１２と対向するように第２の基板１１２の側に設けられる。ここで、ベース板１３は、黒色の光吸収板又は白色の光反射板とすることができる。ベース板１３が黒色の光吸収板であるときには、ベース板１３がコレステリック液晶装置１１を透過した光を吸収して、コレステリック液晶ライティング・ボード１が黒板となる。一部の実施例において、黒色光吸収板の材料は、液晶表示装置のブラックマトリクス（Ｂｌａｃｋ ｍａｔｒｉｘ）の材料と同じとすることができる。また、ベース板１３が白色の光反射板であるときには、コレステリック液晶装置１１を透過した光が反射して、コレステリック液晶ライティング・ボード１が白板となる。一部の実施例において、白色光反射板の材料は、例えば金属、金属酸化物、高反射塗料（白色塗料）、又はそれらの組み合わせを含むことができるが、本発明はこれらに限定されない。また、異なる実施例において、反射板の色も白色に限定することなく、その他の色又は複数色の組み合わせとすることができる。
【００４９】
本発明のコレステリック液晶ライティング・ボードの他の実施例の構造概略図である図３を参照されたい。本実施例のコレステリック液晶ライティング・ボード１ａと、前記実施例のコレステリック液晶ライティング・ボード１とは、その構成要素及び各構成要素の接続関係が概ね同じである。相違点は、本実施例のコレステリック液晶ライティング・ボード１ａは、絶縁層１１７が備えられておらず、第２の透明導電層１１５がコレステリック液晶層１１３に対向するように第２の基板１１２の表面上に設けられ、且つ、光検出アレイ層１２がコレステリック液晶層１１３に向けて第２の基板１１２の表面上に設けられ、光検出アレイ層１２が第２の基板１１２とベース板１３との間に位置するところである。
【００５０】
本発明のコレステリック液晶ライティング・ボードの他の実施例の構造概略図である図４を参照されたい。本実施例のコレステリック液晶ライティング・ボード１ｂと、前記実施例のコレステリック液晶ライティング・ボード１とは、その構成要素及び各構成要素の接続関係は概ね同じである。相違点は、本実施例のコレステリック液晶ライティング・ボード１ｂは、光検出アレイ層１２が第３の基板１２０を更に備えており、そしてアレイ配置される光検出素子１２１１が第２の基板１１２に対向するように第３の基板１２０の表面に設けられており、且つ、光検出アレイ層１２がコレステリック液晶層１１３に向けて第２の基板１１２の側に設けられている。つまり、光検出アレイ層１２は、コレステリック液晶装置１１の外に設けられ、且つ光出射面Ｄ２に対向するようにコレステリック液晶装置１１の側に位置する。本実施例において、第３の基板１２０で選択できる材質は、前述した実施例におけるコレステリック液晶ライティング・ボード１の第１の基板１１１及び第２の基板１１２の選択範囲と同じであって、軟質透光性基材又は硬質透光性基材とすることができる。
【００５１】
本発明のコレステリック液晶ライティング・ボードの更に他の実施例の構造概略図である図５を参照されたい。本実施例のコレステリック液晶ライティング・ボード１ｃと、前記実施例のコレステリック液晶ライティング・ボード１とは、その構成要素及び各構成要素の接続関係は概ね同じである。相違点は、本実施例のコレステリック液晶ライティング・ボード１ｃは、ベース板１３が設けられていないところである。そして、第１の基板１１１は、同じく透光性基板であるが、第２の基板１１２ｃは、黒色の光吸収板又は白色の光反射板とすることができる。つまり、本実施例において、第２の基板１１２ｃは、前述した実施例における第２の基板１１２とベース板１３との機能を同時に有する。
【００５２】
本発明のコレステリック液晶ライティング・ボードのまた更に他の実施例の構造概略図である図６を参照されたい。本実施例のコレステリック液晶ライティング・ボード１ｄと、前記実施例のコレステリック液晶ライティング・ボード１とは、その構成要素及び各構成要素の接続関係は概ね同じである。相違点は、本実施例のコレステリック液晶ライティング・ボード１ｄにも、ベース板１３が設けられていないところである。光検出アレイ層１２ｄは、第３の基板１２０ｄを更に備えており、そして、アレイ配置される光検出素子１２１１が第２の基板１１２に対向するように第３の基板１２０ｄの表面に設けられており、そして光検出アレイ層１２ｄがコレステリック液晶層１１３に向けて第２の基板１１２の側に設けられている。つまり、光検出アレイ層１２ｄは、コレステリック液晶装置１１の外に設けられ、且つ、光出射面Ｄ２に向けるようコレステリック液晶装置１１の側に位置する。同時に、第１の基板１１１及び第２の基板１１２は、いずれも同じく透光性基板であるが、第３の基板１２０ｄは、黒色の光吸収板又は白色の光反射板、又はその他の色の板材とすることができる。つまり、本実施例において、第３の基板１２０ｄは、前述した実施例における第３の基板１２０とベース板１３との機能を同時に有する。光検出アレイ層１２ｄは、コレステリック液晶装置１１の外に設けられているため、第２の基板１１２上には絶縁層を設ける必要がない。
【００５３】
また、上記コレステリック液晶ライティング・ボード１、１ａ、１ｂ、１ｃ又は１ｄにおいて、もし、コレステリック液晶装置１１の第１の透明導電層１１４と第２の透明導電層１１５との間に保持電圧を印加すると、使用者がコレステリック液晶装置１１を押圧したとしても、コレステリック液晶装置１１はプレーナ状態とはならず、コレステリック液晶ライティング・ボード１がその対応する色を表示することはない。一部の実施例において、保持電圧は、０Ｖと４.５Ｖとの間、又は３５.４Ｖと４７.６Ｖとの間とすることができ、又は、保持電圧は、０Ｖと３.７Ｖとの間、又は２９Ｖと３９Ｖとの間とすることができ、そして又は、保持電圧は、０Ｖと３.１Ｖとの間、又は２４.５Ｖと３３Ｖとの間とすることができる。言及すべきは、上記した４.５Ｖ、３.７又は３.１Ｖは、コレステリック液晶装置１１のコレステリック液晶分子が、プレーナ状態（表示状態）からフォーカルコニック状態（非表示状態）に状態変化する状態変化電圧とすることができ、上記した３５.４Ｖ、２９Ｖ又は２４.５Ｖは、コレステリック液晶装置１１のコレステリック液晶分子が、プレーナ状態からホメオトロピック状態に状態変化する状態変化電圧とすることができ、そして、上記した４７.６Ｖ、３９Ｖ又は３３Ｖは、コレステリック液晶装置１１のコレステリック液晶分子が、フォーカルコニック状態からホメオトロピック状態に状態変化する状態変化電圧とすることができる。
【００５４】
また、コレステリック液晶装置１１の第１の透明導電層１１４と第２の透明導電層１１５との間に、保持電圧よりも大きなクリア電圧を印加すると、もし、コレステリック液晶ライティング・ボード１上に色表示されている書込み跡Ｓがすでにある場合には、この書込み跡Ｓをクリアする。つまり、電圧を消除すればコレステリック液晶装置１１のコレステリック液晶分子をホメオトロピック状態からフォーカルコニック状態に状態変化させて、コレステリック液晶ライティング・ボード１上に表示されている内容がすべてクリアされて、コレステリック液晶ライティング・ボード１は、そのベース色を表すことになる。一部の実施例において、クリア電圧は、例えば７０Ｖ、６０Ｖ又は５５Ｖであるが、これらに限定されない。一部の実施例において、例えば実体のあるキー又は仮想のキーにより、保持電圧又はクリア電圧をコレステリック液晶装置１１に印加することで、画面を保持する又はクリアする機能を達成することができる。
【００５５】
図７は、本発明のコレステリック液晶ライティング・ボードと電子装置との一つの実施例の機能ブロック概略図である。図７に示すように、コレステリック液晶ライティング・ボード２は、電子装置３に通信的に接続することができる。このうち、本実施例のコレステリック液晶ライティング・ボード２は、上記したコレステリック液晶ライティング・ボード１、１ａ、１ｂ、１ｃ又は１ｄ、又はその変化態様を含むことができるものであって、具体的な技術内容はすでに上記中に詳述しているため、別途説明はしない。また、電子装置３は、例えば、他のコレステリック液晶ライティング・ボード、又は携帯電話機、タブレット端末、パーソナルコンピュータ、又はその他表示装置することができるが、これらに限定されない。
【００５６】
また、本実施例のコレステリック液晶ライティング・ボード２は、更に、制御ユニット２１と、通信ユニット２２と、記憶ユニット２３とを備えることができる。通信ユニット２２は、制御ユニット２１に電気的に接続され、且つ、コレステリック液晶ライティング・ボード２は、通信ユニット２２を介して電子装置３に通信的に接続することができる。通信的な接続を実現するために、両者の通信接続を達成すべく、電子装置３は、コレステリック液晶ライティング・ボード２と対応する通信ユニットを有する必要がある。このうち、通信ユニット２２は、無線通信モジュール又は有線通信モジュールとすることができ、無線通信モジュールは、Ｗｉ-Ｆｉモジュール、Ｂｌｕｅｔｏｏｔｈモジュール（Ｂｌｕｅｔｏｏｔｈは登録商標）、電信通信モジュール（例えば３Ｇ、４Ｇ）などのモジュールから選択することができ、又はそれらの組み合わせとすることもできるが、本発明はこれらに限定されない。また、記憶ユニット２３は、制御ユニット２１に電気的に接続され、且つ、記憶ユニット２３は、光検出アレイ層で発生した検出信号Ｖｓを記憶することができる。よって、制御ユニット２１は、コレステリック液晶ライティング・ボード２にて押圧により生じて、記憶ユニット２３に記憶されている検出信号Ｖｓを、対応する通信ユニット２２を通じて電子装置３に伝送することで、電子装置３では、コレステリック液晶ライティング・ボード２上での書込み跡Ｓ（図１参照）の位置及び色を得ることができ、これによって、コレステリック液晶ライティング・ボード２の応用を拡大することができる。例えば、電子装置３及びコレステリック液晶ライティング・ボード２に、対応するアプリケーションソフトがインストールされるとともに、両者が通信的に接続されたとき、使用者がコレステリック液晶ライティング・ボード２上に書込みや押圧をすることで、押圧又は書込み跡が発生したときに、電子装置３では、同じ押圧又は書込み跡及び色を対応するように表示することができる。これにより、コレステリック液晶ライティング・ボード２と電子装置３とに、双方向性同期を発生させることができる。よって、コレステリック液晶ライティング・ボード２は、例えば、双方向性授業、双方向性会議等の双方向性筆記システムに利用可能として、低コスト及びリアルタイムインタラクティブの効果を達成することができる。
【００５７】
上記をまとめるに、本発明のコレステリック液晶ライティング・ボードにおいて、コレステリック液晶装置は、コレステリック液晶層を有しており、そして、アレイ配置される複数の光検出素子を備える光検出アレイ層が、コレステリック液晶装置の光出射面の側に設けられる。コレステリック液晶層の少なくとも一部に押圧を加えて状態が変化することで、光通過量に変化が生じる。それによって、光検出アレイ層中の光検出素子が、この光通過量変化を検出するとともに、これに基づいて検知信号を発生する。そして、検出信号処理回路が光検出アレイ層に電気的に接続されていることにより、この検出信号を受信するとともに、これに基づいて、光検出アレイ層における前記光検出素子の位置データを出力することができる。よって、本発明のコレステリック液晶ライティング・ボードは、コレステリック液晶の特性を用いており、省電力効果を達成することができる以外に、書込み位置を得ることで、コレステリック液晶ライティング・ボードの応用を拡大し、例えば双方向性授業、双方向性会議等の双方向性筆記システムに利用可能として、低コスト及びリアルタイムインタラクティブの効果を達成することができる。
【００５８】
上記は単に例示に過ぎず、限定するものではない。本発明の技術思想及び範囲を超えることなく、これに対して行う等価の修正又は変更のいずれも、別紙の特許請求の範囲に含まれるものである。
【産業上の利用可能性】
【００５９】
本発明では以上の構成により、コレステリック液晶ライティング・ボードを提供する。光検出アレイ層を設けることで、光検出アレイ層中の光検出素子は、コレステリック液晶層が書込み又は押圧されて状態が変化することでもたらされる光通過量変化を検出するとともに、これにより検出信号を発生させることで、コレステリック液晶ライティング・ボードは、書込み跡の発生位置を知ることができる。これにより、このようなコレステリック液晶ライティング・ボードを、例えば、双方向性授業又は双方向性会議等のシチュエーションに応用しやすくすることができる。
【符号の説明】
【００６０】
１、１ａ、１ｂ、１ｃ、１ｄ、２    コレステリック液晶ライティング・ボード
１１                コレステリック液晶装置
１１１              第１の基板
１１２、１１２ｃ    第２の基板
１１３              コレステリック液晶層
１１４              第１の透明導電層
１１５              第２の透明導電層
１１５１            電極ブロック
１１７              絶縁層
１２、１２ｄ        光検出アレイ層
１２０、１２０ｄ    第３の基板
１２１              光検出点
１２１１            光検出素子
１２１２            スイッチング素子
１３                ベース板
２１                制御ユニット
２２                通信ユニット
２３                記憶ユニット
３                  電子装置
Ｃ                  検出信号処理回路
ｄ                  ギャップ
Ｄ１                光入射面
Ｄ２                光出射面
Ｄｐ                位置データ
Ｌ１、Ｌ２、Ｌ２'、Ｌｒ    光
Ｐ                  スタイラスペン
Ｒｍ、Ｒｍ+１        読取り線
Ｓ                  書込み跡
ＵＰｎ              アップロード線
Ｖｒｅｆ            基準電圧
Ｖｓ                検出信号
【図１】
2019159303.tif 000003
【図２Ａ】
2019159303.tif 000004
【図２Ｂ】
2019159303.tif 000005
【図２Ｃ】
2019159303.tif 000006
【図２Ｄ】
2019159303.tif 000007
【図２Ｅ】
2019159303.tif 000008
【図３】
2019159303.tif 000009
【図４】
2019159303.tif 000010
【図５】
2019159303.tif 000011
【図６】
2019159303.tif 000012
【図７】
2019159303.tif 000013